(57)【要約】【課題】電気ランプに含まれる部品の数を効果的に削減し、これにより、電気ランプを製造するコストを低減する。【解決手段】本発明は、一次リフレクタ１０６と熱伝達状態にある一次半導体光源１０４を有する電気ランプ１０２に関する。ここで、一次リフレクタ１０６は、反射的、透明、及び／又は、半透明である。一次リフレクタ１０６は、動作中、一次半導体光源１０４により生成される熱を一次半導体光源１０４から離れる方に移送するように構成される。【選択図】図１Ｂ
2015135832.tif 000002
【特許請求の範囲】
【請求項１】
一次リフレクタと熱伝達状態にある一次半導体光源を有し、前記一次リフレクタは、反射的、透明、及び／又は、半透明であり、前記一次リフレクタは、動作中、前記一次半導体光源により生成される熱を前記一次半導体光源から離れる方に移送するように構成される、電気ランプ。
【請求項２】
前記一次半導体光源と前記一次リフレクタとの間の熱伝達を具現化するためのプリント回路基板を有する、請求項１に記載の電気ランプ。
【請求項３】
前記一次リフレクタをソケットに機械的に接続するためのケージを有する、請求項１に記載の電気ランプ。
【請求項４】
前記一次リフレクタと熱伝達状態にある二次半導体光源を有し、前記一次半導体光源及び前記二次半導体光源は、前記一次リフレクタに対して相互に反対側に配置される、請求項１に記載の電気ランプ。
【請求項５】
二次リフレクタと熱伝達状態にある二次半導体光源を有し、前記二次リフレクタは、反射的、透明、及び／又は、半透明であり、前記二次リフレクタは、動作中、前記二次半導体光源により生成される熱を前記二次半導体光源から離れる方に移送するように構成される、請求項１に記載の電気ランプ。
【請求項６】
前記一次リフレクタ及び前記二次リフレクタは、相互に実質的に平行である、請求項５に記載の電気ランプ。
【請求項７】
前記一次リフレクタと前記二次リフレクタとの間の距離は、前記一次リフレクタ及び前記二次リフレクタが反射的である場合、６ｍｍよりも大きく、８ｍｍよりも小さい、請求項６に記載の電気ランプ。
【請求項８】
前記一次リフレクタと前記二次リフレクタとの間の距離は、前記一次リフレクタ及び前記二次リフレクタが透明及び／又は半透明である場合、６ｍｍよりも大きく、１５ｍｍよりも小さい、請求項６に記載の電気ランプ。
【請求項９】
前記一次半導体光源は、前記二次リフレクタから見て外側に向いている、前記一次リフレクタの一方側に配置され、前記二次半導体光源は、前記一次リフレクタから見て外側に向いている、前記二次リフレクタの一方側に配置される、請求項５に記載の電気ランプ。
【請求項１０】
前記一次リフレクタは、前記一次半導体光源により覆われた被覆表面エリアと、他の表面エリアと、を有し、前記他の表面エリアは、前記被覆表面エリアよりも大きい、請求項１に記載の電気ランプ。
【請求項１１】
前記一次リフレクタは、セラミック材料を有する、請求項１に記載の電気ランプ。
【請求項１２】
前記一次リフレクタは、セラミックプリント回路基板として機能するように構成される、請求項１１に記載の電気ランプ。
【請求項１３】
前記一次半導体光源を収容するための、前記一次リフレクタに取り付けられた一次透明光学チャンバを有する、請求項１に記載の電気ランプ。
【請求項１４】
前記一次透明光学チャンバは、透明セラミック材料を有する、請求項１３に記載の電気ランプ。
【発明の詳細な説明】
【技術分野】
【０００１】
本発明は、電気ランプに関する。
【背景技術】
【０００２】
米国特許出願公開第２００６／００１３８４号明細書は、裸のＬＥＤチップとランプシェードとを含むＬＥＤランプを開示している。裸のＬＥＤチップは、ランプシェードを通じて延在している軸の外表面上にマウントされている。当該軸は、ＬＥＤチップによって生成される熱を散逸するためのヒートパイプを収容する。この目的のために、当該ヒートパイプは、熱受け取り部分と熱散逸部分とを備え、これらの間において、熱は、パイプの内側に封止された流体の液相転移及び気相転移を介して移送される。上記熱散逸部分は、自然対流又は強制対流を介して、ＬＥＤランプの周囲に熱を散逸させる。
【発明の概要】
【発明が解決しようとする課題】
【０００３】
米国特許出願公開第２００６／００１３８４号明細書に開示されたＬＥＤランプの欠点は、ＬＥＤチップからの熱を除去するための、かなり複雑でそれ故に高価な設備にある。
【課題を解決するための手段】
【０００４】
本発明に従った電気ランプの目的は、既知の電気ランプの欠点の少なくとも１つを解消することにある。当該目的は、本発明に従った電気ランプによって達成され、当該電気ランプは、一次リフレクタと熱伝達状態にある一次半導体光源を有し、前記一次リフレクタは、反射的、透明、及び／又は、半透明であり、前記一次リフレクタは、動作中、前記一次半導体光源によって生成される熱を前記一次半導体光源から離れる方へ移送するように構成されている。
【０００５】
一次リフレクタは、一次半導体光源によって生成される光を反射又は透過可能とするように構成されるとともに、一次半導体光源によって生成される熱を離れる方へ移送するように構成されるため、一次リフレクタは、ランプシェードの機能とヒートシンクの機能特性とを単一の要素に効果的に一体化する。結果として、本発明に従った電気ランプは、電気ランプに含まれる部品の数を効果的に減少させ、これにより、電気ランプの構造を単純化するとともに、上記電気ランプの製造に関するコストを低減させる。
【０００６】
一次リフレクタは、反射的、透明、及び／又は、半透明である。従って、例えば、一次リフレクタの第１の部分は反射的であってもよい一方、一次リフレクタの第２の部分は透明であってもよい。基本的に、一次リフレクタは、上述の光学的特性の任意の組み合わせを備えていてもよい。一次リフレクタは、動作中、一次半導体光源によって生成される光を吸収するためのものではない。
【０００７】
この文書において、半導体光源は、発光ダイオード（ＬＥＤ）、有機発光ダイオード（ＯＬＥＤ）及び光電気デバイスを含むが、これらに限定されない。
【０００８】
この文書において、オブジェクト間の熱伝達は、当該オブジェクトが熱移送を介して接続可能であることを意味する。後者の熱移送は、オブジェクトの温度を相互に相関させる。実際には、このことは、第１の温度、即ち、第１のオブジェクトの温度における変動が、第２の温度、即ち、第２のオブジェクトの温度によって同様に追従されることを意味する。この文書において、上記温度の相互の相関は、第１の温度における変動が、１時間よりも小さな時定数をもつ熱処理に従って第２の温度により追従されるということを示す。好ましくは、上記時定数は、１０分よりも小さく、より好ましくは、１分よりも小さい。オブジェクト間に導入された顕著な熱抵抗、即ち熱絶縁は、これらの熱伝達を妨げる。この文書において、オブジェクト間の熱伝達は、これらの間の任意の熱抵抗が１０Ｋ／Ｗよりも小さいことを必要とする。
【０００９】
この文書において、リフレクタは、特定の形状をもつことに限定されない。しかしながら、リフレクタが反射的である場合、リフレクタの形状は、動作中、半導体光源によって生成される光を反射可能な範囲で構成される。この文書において、光の反射率は、仮想ベクトルである、一次半導体光源の一次光学軸に対して規定され、仮想ベクトルの向きは、一次半導体光源の光強度分布に対して回転対称が存在する軸と一致し、仮想ベクトルの方向は、ほとんどの光が一次半導体光源から伝播する方向と一致する。後方、即ち一次光学軸の方向とは反対の成分をもつ方向に放射される光の少なくとも８０％が、一次光学軸の方向に等しい成分をもつ方向に沿って反射された場合に、反射が得られる。好ましくは、一次リフレクタは、一次光学軸と実質的に直角をなすように設けられる。一例として、プレート状の形状は、一次半導体光源により生成された光を反射するのに役立つことを証明するだろう。プレート及び一次半導体光源は、後方に放射された光が実際にはプレートを通過するよりむしろプレートに達するように相互に配置されるように設けられる。この文書において、プレートは、平坦であるか、僅かに湾曲されるか、又は、大幅に湾曲される形状の意味を含むことが理解され、これに関して、厚さに対する面寸法の割合は、大幅に大きくなる、即ち１０を超える。それ故、プレートの縁は、一次半導体光源により生成された光を反射する目的のためにあまり適切ではないように見える。
【００１０】
比較的高い熱伝導性をもつとともに顕著な反射を与える材料の例は、アルミニウム又はクロムなどの金属である。代替的に、例えばアルミニウム、二酸化チタン、酸化アルミニウム、又は、硫酸バリウムベースの反射コーティングを備えた金属がうまく用いられてもよい。半透明な一次リフレクタを製造するのに適した材料は、多結晶アルミニウム（ＰＣＡ；Poly Crystalline Aluminum）である。
【００１１】
本発明に従った電気ランプの好ましい実施形態は、一次半導体光源と一次リフレクタとの間の熱伝達を具現化するためのプリント回路基板を有する。プリント回路基板は、一次半導体光源と一次リフレクタとの間に顕著な接触エリアを与え、これにより、一次半導体光源と一次リフレクタとの間に実質的な熱伝導を具現化する。それ故、この実施形態は、一次半導体光源と一次リフレクタとの間の熱伝達を更に促進する点について有利である。
【００１２】
本発明に従った電気ランプの更に好ましい実施形態は、一次リフレクタをソケットに機械的に接続するためのケージを有する。この実施形態は、流体、即ち空気にさらされる、一次リフレクタの面積を増大させ、これにより、対流を介して一次リフレクタから周囲の空気に向かう熱移送を増大させる。結果として、この実施形態は、一次半導体光源からの熱を離れる方に伝達するように一次リフレクタの能力を有利に増大させる。
【００１３】
本発明に従った電気ランプの更に好ましい実施形態は、一次リフレクタと熱伝達状態にある二次半導体光源を有し、一次及び二次半導体光源は、一次リフレクタに対して相互に反対側に配置される。この実施形態は、動作の間により多くの光を生成するという利点をもつ。
【００１４】
本発明に従った電気ランプの更に好ましい実施形態は、二次リフレクタと熱伝達状態にある二次半導体光源を有し、二次リフレクタは、反射的、透明、及び／又は、半透明であり、二次リフレクタは、動作中、二次半導体光源により生成される熱を二次半導体光源から離れる方に移送するように構成される。この実施形態は、有利には、電気ランプにより生成可能な光の量を増大させる一方で、対流を介して熱を離れる方に移送するための、半導体光源毎に利用可能な表面エリアをある程度具現化することを可能にする。
【００１５】
本発明に従った電気ランプの実際の実施形態において、一次リフレクタ及び二次リフレクタは、相互に実質的に平行である。この文書において、これらのオブジェクト間の距離が、これらのオブジェクトが平行になる方向に沿って測定する長さに対して１０％にすぎない程度に変化する場合に、オブジェクトが実質的に平行であると見なされる。
【００１６】
本発明に従った電気ランプの更に好ましい実施形態において、一次リフレクタと二次リフレクタとの間の距離は、一次リフレクタ及び二次リフレクタが反射的である場合、６ｍｍよりも大きく、８ｍｍよりも小さい。８ｍｍよりも大きくならない距離を選択することにより、一次及び二次半導体により生成された光の分配は、反射的な一次リフレクタと二次リフレクタとの間の距離によりほとんど邪魔されない。６ｍｍよりも小さくない距離を選択することにより、自然対流を介しての一次及び二次リフレクタからの熱の伝達が可能になる。それ故、この実施形態は、配光を邪魔することなく半導体光源からの熱を除去するように電気ランプの能力を大幅に増大させる点について有利である。
【００１７】
本発明に従った電気ランプの更に好ましい実施形態において、一次リフレクタと二次リフレクタとの間の距離は、一次リフレクタ及び二次リフレクタが透明及び／又は半透明である場合、６ｍｍよりも大きく、１５ｍｍよりも小さい。１５ｍｍよりも小さい距離を選択することにより、一次及び二次半導体により生成された光の分配は、透明及び／又は半透明な一次リフレクタと二次リフレクタとの間の距離によりほとんど邪魔されない。６ｍｍよりも大きい距離を選択することにより、自然対流を介しての一次及び二次リフレクタからの熱の伝達が可能になる。それ故、この実施形態は、配光を邪魔することなく半導体光源からの熱を除去するように電気ランプの能力を大幅に増大させる点について有利である。
【００１８】
本発明に従った電気ランプの更に好ましい実施形態において、一次半導体光源は、二次リフレクタから見て外側に向いている、一次リフレクタの一方側に配置され、二次半導体光源は、一次リフレクタから見て外側に向いている、二次リフレクタの一方側に配置される。この実施形態において、二次半導体光源による一次リフレクタの放射線誘発加熱も、一次半導体光源による二次リフレクタの放射線誘発加熱も、効果的に最小限にされる。結果として、この実施形態は、一次リフレクタが一次半導体光源からの熱を除去することを可能にする効率と、二次リフレクタが二次半導体光源からの熱を除去することを可能にする効率とを、有利に増大させる。
【００１９】
本発明に従った電気ランプの更に好ましい実施形態において、一次リフレクタは、一次半導体光源により覆われた被覆表面エリアと、他の表面エリアと、を有し、他の表面エリアは、被覆表面エリアよりも大きい。この実施形態は、一次リフレクタが、光を反射するため、及び、対流を介して熱を伝達するために利用可能な顕著なエリアをもつことを可能とする。それ故、この実施形態は、一次リフレクタの機能性を一次半導体光源の寸法に対して強くする点で有利である。
【００２０】
本発明に従った電気ランプの更に好ましい実施形態において、一次リフレクタがセラミック材料を有する。セラミック材料は、比較的高い反射率をもつ一方で十分な熱伝導を与えることを特徴とする。それ故、この実施形態は、一次リフレクタに反射コーティングを設ける必要性を省略するという利点をもち、これにより、電気ランプを製造するために要求される処理ステップの数を削減する。
【００２１】
本発明に従った電気ランプの更に好ましい実施形態において、一次リフレクタは、セラミックプリント回路基板として機能するように構成される。セラミック材料に存在する顕著な電気抵抗により、この実施形態は、プリント回路基板と一次リフレクタとの一体化を有利に可能にし、これにより、電気ランプに含まれる部品の数を更に削減する。
【００２２】
本発明に従った電気ランプの他の実際の実施形態は、半導体光源を収容するための、一次リフレクタに取り付けられた透明光学チャンバを有する。
【００２３】
本発明に従った電気ランプの他の好ましい実施形態において、透明光学チャンバは、透明セラミック材料を有する。透明セラミック材料の熱伝導がプラスチック又はガラスのような一般に用いられる透明材料に関する熱伝導を大きく超えるので、この実施形態においては、透明光学チャンバがヒートシンクとして追加的に機能する。結果として、この実施形態は、一次半導体光源をより効果的に冷却することを可能とする。
【図面の簡単な説明】
【００２４】
【図１Ａ】一次及び二次半導体光源を有する本発明の電気ランプの一実施形態を概略的に示す。
【図１Ｂ】図１Ａに示された実施形態の３次元イメージを与える。
【図２Ａ】一次及び二次リフレクタを有する本発明の電気ランプの一実施形態を概略的に示す。
【図２Ｂ】図２Ａに示された実施形態の３次元イメージを与える。
【図３】一次リフレクタをソケットに機械的に接続するためのケージを有する電気ランプを概略的に示す。
【図４】一次リフレクタの厚さ及び二次リフレクタの厚さと実質的に等しい距離で設けられた相互に平行な一次及び二次リフレクタを有する本発明の電気ランプの一実施形態を概略的に示す。
【図５】実質的に湾曲した一次及び二次リフレクタを有する本発明の電気ランプの一実施形態を概略的に示す。
【図６】一次及び二次半導体光源を囲む凹部を備えた一次及び二次リフレクタを有する本発明の電気ランプの一実施形態を概略的に示す。
【図７Ａ】４つの実質的に湾曲したリフレクタを有する本発明の電気ランプの一実施形態の底面図を概略的に示す。
【図７Ｂ】図７Ａに示された実施形態の平面図を概略的に示す。
【発明を実施するための形態】
【００２５】
図１Ａは、一次光学軸１０５をもち、反射的な一次リフレクタ１０６に熱伝達する、一次半導体光源１０４を有する電気ランプ１０２を概略的に示している。一次リフレクタは、動作中、一次半導体光源１０４により生成される光を反射するように構成される。この目的のために、一次リフレクタ１０６は、セラミック材料から作られ得る。追加的に、一次リフレクタ１０６は、動作中、一次半導体光源１０４により生成される熱を離れる方に移送するために設けられる。他の実施形態において、一次リフレクタ１０６は、一次半導体光源１０４により覆われた被覆表面エリアと、他の表面エリアと、を有し、他の表面エリアは、被覆表面エリアよりも大きく、好ましくは２倍より大きく、より好ましくは３倍より大きい。この特定の例において、電気ランプ１０２は、二次光学軸１０９をもつ二次半導体光源１０８を更に有する。ここで、一次及び二次半導体光源１０４，１０８は、一次リフレクタ１０６の相互に反対側に配置される。この特定の例において、一次プリント回路基板１１０は、一次半導体光源１０４と一次リフレクタ１０６との間に熱伝達を与えるためにこれらの間に配置される。同様に、二次プリント回路基板１１２は、二次半導体光源１０８と一次リフレクタ１０６との間の熱伝達の目的のためにこれらの間に導入される。オプション的に、透明な光学チャンバ１１４，１１６は、一次及び二次半導体光源１０４，１０８のそれぞれを収容するために一次リフレクタ１０６に取り付けられる。好ましくは、透明な光学チャンバ１１４，１１６は、酸化アルミニウムのような透明なセラミック材料から作られる。一次リフレクタ１０６は、ソケット１１８に機械的に接続され得る。ソケット１１８は、一次及び二次プリント回路基板１１０，１１２をそれぞれ介して一次及び二次半導体光源１０４，１０８に電気エネルギを供給するために設けられる。
【００２６】
図２Ａは、一次光学軸２０５をもち、一次リフレクタ２０６に熱伝達する、一次半導体光源２０４を有する電気ランプ２０２を概略的に示している。一次リフレクタ２０６は、動作中、一次半導体光源２０４により生成される熱を離れる方に移送するために設けられる。電気ランプは、二次光学軸２０９をもち、二次リフレクタ２１０に熱伝達する、二次半導体光源２０８を更に有する。二次リフレクタ２１０は、動作中、二次半導体光源２０８により生成される熱を離れる方に移送するように構成される。この特定の実施形態において、一次及び二次リフレクタ２０６，２１０は、相互に実質的に平行な構成で取り付けられる。ここで、一次半導体光源２０４は、二次リフレクタ２１０から見て外側を向いている一次リフレクタ２０６の一方側に配置される一方で、二次半導体光源２０８は、一次リフレクタ２０６から見て外側を向いている二次リフレクタ２１０の一方側に配置される。一次及び二次半導体光源２０４，２０８は、プリント回路基板２１２と電気的に接続し、プリント回路基板には、ソケット２１４を介して電力が供給され得る。代わりに、プリント回路基板２１２に電力を供給する目的のためにバッテリが用いられてもよい。オプション的に、透明な光学チャンバ２１６，２１８が、一次及び二次半導体光源２０４，２０８を収容するために、一次リフレクタ２０６及び二次リフレクタ２１０のそれぞれに取り付けられる。この特定の実施形態において、光学チャンバ２１６の下の一次リフレクタ２０６のエリアは反射的である。一次リフレクタ２０６の残りのエリアは透明である。同様に、光学チャンバ２１８の下の二次リフレクタ２１０のエリアが反射的である一方で、一次リフレクタ２１０の残りのエリアは透明である。
【００２７】
図３は、一次光学軸３０５をもち、反射的な一次リフレクタ３０６に熱伝達可能に接続された一次半導体光源３０４を有する電気ランプ３０２を概略的に示している。一次リフレクタ３０６は、動作中、一次半導体光源３０４により生成される光を反射すること、及び、動作状態の間に半導体光源３０４により生成される熱を離れる方に移送することの双方を可能にする。一次リフレクタ３０６は、ケージ３０８を介してソケット３１０に機械的に接続される。ここで、ケージ３０８は、概ね開口構造体であり、例えば、複数の棒３１２を有する構造体である。一次透明光学チャンバ３１４は、一次リフレクタ３０６に取り付けられてもよい。好ましくは、一次透明光学チャンバ３１４は、熱伝達を増大させるために透明なセラミック材料から作られる。
【００２８】
図４は、半透明の一次リフレクタ４０６と熱伝達する一次半導体光源４０４を有する電気ランプ４０２を概略的に示している。一次リフレクタ４０６は、動作中、一次半導体光源４０４により生成される熱を離れる方に移送するために設けられる。電気ランプは、半透明の二次リフレクタ４１０と熱伝達する二次半導体光源４０８を更に有する。二次リフレクタ４１０は、動作中、二次半導体光源４０８により生成される熱を離れる方に移送するように構成される。この特定の実施形態において、一次及び二次リフレクタ４０６，４１０は、相互に実質的に平行な構成で取り付けられる。更に、この特定の例において、一次リフレクタ４０６と二次リフレクタ４１０との間の距離ｄ１は７ｍｍになる。
【００２９】
好ましくは、一次及び二次リフレクタ４０６，４１０は、セラミック材料、例えばケイ酸マグネシウムから作られる。後者の材料の顕著な電気抵抗により、一次及び二次リフレクタ４０６，４１０は、セラミックプリント回路基板として、即ち、この目的のために他の電気絶縁体を導入することなくプリント回路基板を取り囲むセラミックプリント回路基板として機能することを可能とする。ここで、一次及び二次半導体光源４０４，４０８は、一次及び二次リフレクタ４０６，４１０を含む構造体に対して相互に反対側に配置される。一次及び二次リフレクタ４０６，４１０は、ソケット４１２と電気的に接続している。透明な光学チャンバ４１６，４１８は、一次及び二次半導体光源４０４，４０８を収容するために、一次リフレクタ４０６及び二次リフレクタ４１０にそれぞれオプション的に取り付けられる。好ましくは、透明な光学チャンバ４１６，４１８は、透明なセラミック材料から作られる。
【００３０】
図５は、一次透明光学チャンバ５０６に収容された一次半導体光源５０４を有する電気ランプ５０２を概略的に示している。一次半導体光源５０４は、一次光学軸５０８をもつ。一次半導体光源５０４は、反射的な一次リフレクタ５１０に熱的に接続される。一次リフレクタ５１０は、動作中、一次半導体光源５０４により生成される光を反射すること、及び、動作状態の間に一次半導体光源５０４により生成される熱を離れる方に移送することの双方を可能にする。電気ランプ５０２は、二次光学軸５１６をもち、反射的な二次リフレクタ５１８に熱伝達する、二次透明光学チャンバ５１４に収容された二次半導体光源５１２を更に有する。二次リフレクタ５１８は、動作中、二次半導体光源５１２により生成される光を反射し、動作状態の間に二次半導体光源５１２により生成される熱を離れる方に移送するように構成される。一次及び二次リフレクタ５１０，５１８は、実質的に湾曲している。一次及び二次光学軸５０８，５１６と平行な実質的な成分をもつ方向に沿って光を反射する能力を増大させるために、一次及び二次リフレクタ５１０，５１８は、一次及び二次半導体光源５０４，５１２のそれぞれに対して窪んでいる。一次及び二次リフレクタ５１０，５１８は、ソケット５２０に機械的に接続される。
【００３１】
図６は、一次光学軸６０６をもつ一次半導体光源６０４を有する電気ランプ６０２を概略的に示している。一次半導体光源６０４は、一次リフレクタ６０８に熱的に接続される。一次リフレクタ６０８は、動作状態の間に一次半導体光源６０４により生成される熱を離れる方に移送可能である。電気ランプ６０２は、二次光学軸６１２をもち、二次リフレクタ６１４に熱伝達する二次半導体光源６１０を更に有する。二次リフレクタ６１４は、動作状態の間に二次半導体光源６１０により生成される熱を離れる方に移送するように構成される。一次及び二次光学軸６０６，６１２と同様の方向に向かって後方に放射された光を集光するために、一次及び二次リフレクタ６０８，６１４は、一次及び二次半導体光源６０４，６１２をそれぞれ囲む局所的な凹部を備える。反射の目的のために、一次及び二次リフレクタ６０８，６１４は、局所的な凹部の範囲内で反射的である。局所的な凹部を除いては、一次及び二次リフレクタ６０８，６１４は透明である。一次及び二次リフレクタ６０８，６１４は、ソケット６１６に機械的に接続される。
【００３２】
図７Ａは、底面図により電気ランプ７０２を概略的に示している。電気ランプは、一次リフレクタ７０８及び二次リフレクタ７１０にそれぞれ熱伝達するように取り付けられた、一次半導体光源７０４及び二次半導体光源７０６を有する。図７Ｂによれば、一次半導体光源７０４が一次光学軸７０５を備える一方で、二次半導体光源７０６は二次光学軸７０７をもつ。一次及び二次リフレクタ７０８，７１０は、一次及び二次半導体光源７０４，７０６により動作の間に生成される光を反射し、一次及び二次半導体光源７０４，７０６のそれぞれからの熱を離れる方に移送するように構成される。図７Ａによれば、電気ランプ７０２は、三次半導体光源７１２と四次半導体光源７１４とを更に有する。三次及び四次半導体光源７１２，７１４は、三次及び四次リフレクタ７１６，７１８にそれぞれ熱伝達する。一次及び二次リフレクタ７０８，７１０は、一次及び二次半導体光源７０４，７０６により動作の間に生成される光を反射し、一次及び二次半導体光源７０４，６０６のそれぞれからの熱を離れる方に移送するように構成される。図７Ｂから明らかなように、一次及び二次リフレクタ７０８，７１０は、一次及び二次半導体光源７０４，７０６により動作の間に生成される光を特定の方向において集光するために実質的に湾曲される。好ましくは、一次及び二次リフレクタは、所望の任意の方向における光の集光を可能にするために、例えば顕著なプラスチック変形を可能とする材料から一次及び二次リフレクタを作ることにより、調節可能である。全てのリフレクタは、ソケット７２０に機械的に取り付けられ得る。
【００３３】
本発明は、図面及び前述の説明において詳細に示され、説明された一方で、これらの図示及び説明は、例示又は単なる例であり、限定的ではないものと見なされるべきである。本発明は、開示された実施形態に限定されるものではない。本発明のシステム及び全ての構成要素は、それ自体知られたプロセス及び材料を適用することにより作られ得ることに留意されたい。特許請求の範囲及び明細書において、"有する"という用語は、他の要素を除外するものではなく、単数表記は、複数を除外するものではない。請求項中の如何なる参照符号もその範囲を限定するものとして考慮されるべきではない。請求項において規定された特徴の全ての取り得る組み合わせは、本発明の一部であることに更に留意されたい。
【図１Ａ】
2015135832.tif 000003
【図１Ｂ】
2015135832.tif 000004
【図２Ａ】
2015135832.tif 000005
【図２Ｂ】
2015135832.tif 000006
【図３】
2015135832.tif 000007
【図４】
2015135832.tif 000008
【図５】
2015135832.tif 000009
【図６】
2015135832.tif 000010
【図７Ａ】
2015135832.tif 000011
【図７Ｂ】
2015135832.tif 000012
【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
一次リフレクタと熱伝達状態にある一次半導体光源と、前記一次リフレクタに取り付けられて前記一次半導体光源を収容する一次透過光学チャンバと、を有し、前記一次リフレクタは、前記一次半導体光源により生成される熱を前記一次半導体光源から離れる方に移送するように構成される、電気ランプ。
【外国語明細書】
2015135832000001.pdf